(57)【特許請求の範囲】
【請求項１】
操作入力部、１チップマイクロコンピュータ、表示部、および、外部のデータ出力装置と通信を行うインタフェ−スを有し、当該リモコン装置によって制御される本体装置の制御状態を前記１チップマイクロコンピュータの制御によって前記表示部の表示面に表示するように構成されたリモコン装置であって、
前記１チップマイクロコンピュータとは別に書き換え可能な不揮発性のメモリ素子が設けられており、
前記メモリ素子には、前記表示面に表示するための１つまたは複数の画像データが記憶され、
前記１チップマイクロコンピュータの制御によって、前記メモリ素子に記憶された画像データが読み出されて前記表示面に表示され、
前記インタフェ−スによって、当該リモコン装置を特定する情報を前記データ出力装置に送信し、前記情報に基づいて前記データ出力装置により更新に必要であると判断されて送信されてきた画像データを受信するようにされ、
前記メモリ素子に記憶されている１つまたは複数の画像データの全体または一部を、前記データ出力装置から受信した画像データで書き換えることによって、前記表示面の表示内容が更新されるように構成されてなる、
ことを特徴とするリモコン装置。
【請求項２】
前記インタフェースは、前記本体装置との信号の授受のために設けられたインタフェースによって兼用されている、
請求項１記載のリモコン装置。
【請求項３】
前記メモリ素子には複数の背景画像データが記憶されており、
前記メモリ素子から読み出された１つの背景画像データと、前記メモリ素子または前記１チップマイクロコンピュータの内蔵ＲＯＭから読み出された数値画像データとが組み合わされて、前記表示面に表示されるように構成されてなる、
請求項１または請求項２記載のリモコン装置。
【請求項４】
前記数値画像データを前記表示面に表示するに当たって、その表示位置を前記背景画像データの内容に応じて制御するように構成されてなる、
請求項３記載のリモコン装置。
【請求項５】
操作入力部、１チップマイクロコンピュータ、表示部、およびインタフェ−スを有し、本体装置の制御状態を前記１チップマイクロコンピュータの制御によって前記表示部の表示面に表示するように構成されたリモコン装置と、前記インタフェ−スと通信を行うことが可能なデータ出力装置とを有するリモコンシステムであって、
前記リモコン装置において、
前記１チップマイクロコンピュータとは別に書き換え可能な不揮発性のメモリ素子が設けられており、
前記メモリ素子には、前記表示面に表示するための１つまたは複数の画像データが記憶され、
前記１チップマイクロコンピュータの制御によって、前記メモリ素子に記憶された画像データが読み出されて前記表示面に表示され、
前記インタフェ−スによって、当該リモコン装置を特定する情報を前記データ出力装置に送信し、前記データ出力装置から送信されてきた画像データを受信するようにされ、
前記メモリ素子に記憶されている１つまたは複数の画像データの全体または一部を、前記データ出力装置から受信した画像データで書き換えることによって、前記表示面の表示内容が更新されるように構成されており、
前記データ出力装置において、
前記リモコン装置から受信した情報に基づいて前記メモリ素子に記憶された画像データについて更新の必要な部分を判断し、更新に必要な画像データのみを前記リモコン装置に送信するように構成されている、
ことを特徴とするリモコンシステム。
【発明の詳細な説明】
【０００１】
本発明は、本体装置の制御状態を１チップマイクロコンピュータの制御によって表示部に表示するように構成されるリモコン装置およびリモコンシステムに関し、例えば給湯装置の遠隔操作などに用いられる。
【０００２】
【従来の技術】
従来より、セントラル給湯方式の給湯装置が普及している。この方式の給湯装置では、例えば室外に設置された給湯器本体から、台所および風呂に配管によって温水が供給され、また、室内の各部に暖房や乾燥のための温水が供給される。台所および風呂には、湯温の設定など給湯器本体を制御し且つその制御状態を表示するためのリモコン装置が設置される。
【０００３】
通常、リモコン装置は、合成樹脂などからなるハウジングの表面に、操作入力部および表示部が配置され、その内部に、１チップマイクロコンピュータ、インタフェ−ス回路、および電源回路などが設けられる。
【０００４】
表示部として、例えば３２×８０ドット程度のマトリクス表示が可能な蛍光表示管またはＬＣＤ（液晶表示装置）などが用いられ、その表示面に、給湯器本体の動作状態、設定湯温、または現在時刻などが表示される。
【０００５】
従来において、表示部への表示のための画像データは、１チップマイクロコンピュータに内蔵された数十キロバイト程度のＲＯＭ（内蔵ＲＯＭ）に記憶されている。
【０００６】
【発明が解決しようとする課題】
しかし、給湯器本体の機種や機能が追加されることによって表示部への表示内容が追加された場合には、これによって画像データのデータ量が増大するため、従来においては１チップマイクロコンピュータの内蔵ＲＯＭの容量が不足するという問題がある。
【０００７】
また、リモコン装置の操作性を改善するために、表示部の表示内容を変更することがあるが、従来においては、その度毎に１チップマイクロコンピュータの内蔵ＲＯＭに記憶した画像データを変更する必要がある。したがって、変更後の画像データを記憶した新たな１チップマイクロコンピュータを準備し、その１チップマイクロコンピュータを既に設置されたリモコン装置の１チップマイクロコンピュータと交換しなければならない。このような作業には大変な労力と時間を要する。
【０００８】
また、ユーザ宅において、既に設置された給湯器本体を新機種に取り換えたり、給湯機能のみであった給湯器本体を暖房機能の付加された給湯器本体に取り換えたりすることがある。そのような場合に、既設のリモコン装置については、表示部の表示内容の追加または変更を行う必要はあるものの、基本的な機能は変更の必要のないことが多い。
【０００９】
しかし、従来においては、表示内容の追加または変更のためにそれらリモコン装置の全体を取り換えなくてはならず、そのための作業に多くの労力を要していた。
【００１０】
本発明は、上述の問題に鑑みてなされたもので、画像データの増大に容易に対応することができ、しかも表示部の表示内容の変更を容易に行うことのできるリモコン装置およびリモコンシステムを提供することを目的とする。
【００１１】
請求項１の発明に係る装置は、操作入力部、１チップマイクロコンピュータ、表示部、および、外部のデータ出力装置と通信を行うインタフェ−スを有し、当該リモコン装置によって制御される本体装置の制御状態を前記１チップマイクロコンピュータの制御によって前記表示部の表示面に表示するように構成されたリモコン装置であって、前記１チップマイクロコンピュータとは別に書き換え可能な不揮発性のメモリ素子が設けられており、前記メモリ素子には、前記表示面に表示するための１つまたは複数の画像データが記憶され、前記１チップマイクロコンピュータの制御によって、前記メモリ素子に記憶された画像データが読み出されて前記表示面に表示され、前記インタフェ−スによって、当該リモコン装置を特定する情報を前記データ出力装置に送信し、前記情報に基づいて前記データ出力装置により更新に必要であると判断されて送信されてきた画像データを受信するようにされ、前記メモリ素子に記憶されている１つまたは複数の画像データの全体または一部を、前記データ出力装置から受信した画像データで書き換えることによって、前記表示面の表示内容が更新されるように構成されてなる。
【００１３】
請求項２の発明に係る装置では、前記インタフェースは、前記本体装置との信号の授受のために設けられたインタフェースによって兼用されている。請求項３の発明に係る装置では、前記メモリ素子には複数の背景画像データが記憶されており、前記メモリ素子から読み出された１つの背景画像データと、前記メモリ素子または前記１チップマイクロコンピュータの内蔵ＲＯＭから読み出された数値画像データとが組み合わされて、前記表示面に表示されるように構成されてなる。
【００１４】
請求項４の発明に係る装置では、前記数値画像データを前記表示面に表示するに当たって、その表示位置を前記背景画像データの内容に応じて制御するように構成されてなる。
【００１５】
本発明において、操作入力部として、例えば有接点または無接点のスイッチ、抵抗値または誘電率の変化を検出するセンサー、圧力を感知するセンサー、またはタッチセンサーなどの各種のセンサーなど、種々の入力手段を用いることができる。
【００１６】
また、表示部として、蛍光表示管、ＬＣＤ、プラズマディスプレイパネル、ＣＲＴ、その他の種々の表示手段を用いることができる。メモリ素子として、ＥＥＰＲＯＭ、フラッシュメモリ、電池バックアップされたＲＡＭ、その他の種々のメモリ素子を用いることができる。
【００１７】
【発明の実施の形態】
図１は本発明に係るリモコン装置５を用いた給湯装置１の制御系の構成を示すブロック図、図２は給湯器本体３の制御系の構成を示すブロック図、図３は本発明に係る風呂リモコン５の制御系の構成を示すブロック図、図４は風呂リモコン５の外観の例を示す正面図である。
【００１８】
図１において、給湯装置１は、給水を加熱して湯をつくる熱源機である給湯器本体３、ならびに、給湯器本体３を台所または風呂から遠隔操作する台所リモコン４または風呂リモコン５、およびその両方からなる。必要に応じて、図示しない他のリモコン装置も用いられる。本明細書において、これら台所リモコン４および風呂リモコン５などの全体または一部を「リモコン」または「リモコン装置」と記載することがある。
【００１９】
給湯器本体３とリモコンとは、２本の電線ＷＲによって互いに接続されている。電線ＷＲを介して、給湯器本体３から各リモコンに対して直流電圧が供給され、且つ、コンテンション方式などによって通信が行われる。
【００２０】
図２において、給湯器本体３は、マイクロコンピュータ１１、センサー群１２、駆動部１３、データ送受信部１４、および電源部１５などを有する。
マイクロコンピュータ１１は、例えば１チップマイクロコンピュータなどから構成され、内蔵のＲＯＭに記憶されたプログラムをＣＰＵが実行することにより、給湯器本体３の全体を制御する。センサー群１２は、各箇所の温度、水量、またはガスの状態などを検出するためのセンサーからなり、検出信号はマイクロコンピュータ１１に入力される。駆動部１３によって、各種の電磁弁、ヒータ、およびファンなどが駆動制御される。
【００２１】
データ送受信部１４は、リモコンに対してシリアルデータを送信し、リモコンから送られるシリアルデータを受信することにより、リモコンとの間で通信を行う。データの送受信のために、振幅偏位変調（ＡＳＫ）、周波数偏位変調（ＦＳＫ）などの種々の変調方式が用いられる。
【００２２】
図３において、風呂リモコン５は、１チップマイクロコンピュータ２１、外部メモリ２２、キー入力部２３、表示部２４、音声出力部２５、データ送受信部２６、および電源部２７などを有する。
【００２３】
外部メモリ２２は、１チップマイクロコンピュータ２１とは別に設けられたメモリ素子である。外部メモリ２２として、ＥＥＰＲＯＭまたはフラッシュＲＯＭのように、書き換え可能な不揮発性のメモリ素子が用いられる。その容量は、そこに記憶される画像データの内容および量にもよるが、例えば２０〜１００キロバイト程度、またはそれ以上である。外部メモリ２２には、表示部２４の表示面ＨＧに表示するための種々の画像データが記憶される。
【００２４】
キー入力部２３は、図４に示されるような種々のキー５１〜５８からなり、ユーザの操作によって操作入力信号を発生する。これらのキー５１〜５８として、有接点または無接点のスイッチ、または表示部２４の画面にタッチすることによって入力を行うタッチセンサーなどを用いることができる。
【００２５】
表示部２４は、ドットマトリクス表示を行う蛍光表示管であり、その表示面ＨＧに、給湯器本体３の動作状態、湯温、現在時刻、予約の設定状態、その他のメッセージなどが表示される。表示部２４への表示は、例えば外部メモリ２２またはＲＯＭ２１３から読み出された画像データが、表示面ＨＧ上の適当な位置に配置されることによって行われる。
【００２６】
なお、表示部２４の表示面ＨＧへの実際の表示に当たっては、例えば表示部２４または１チップマイクロコンピュータ２１などに設けられた表示用のＲＡＭに画像データが書き込まれ、それに基づいて表示が行われる。
【００２７】
音声出力部２５は、１チップマイクロコンピュータ２１から出力される音声データに基づいて音声を合成し、スピーカＳＰから音声を出力する。１チップマイクロコンピュータ２１から音声データが出力される場合には、音声出力部２５は単なる増幅器でよい。
【００２８】
データ送受信部２６は、給湯器本体３に対してシリアルデータを送信し、給湯器本体３から送られるシリアルデータを受信することにより、給湯器本体３との間で信号の授受を行う。給湯器本体３のデータ送受信部１４と同じ変調方式が用いられる。
【００２９】
データ送受信部２６は、風呂リモコン５に後述する検査装置７が接続された際に、その検査装置７との間で通信を行うためのインタフェースを兼用する。なお、電線ＷＲの接続のために、接続端子ＴＣ１，２が設けられている。
【００３０】
電源部２７は、給湯器本体３から電線ＷＲを介して送られてきた直流電圧を基に、風呂リモコン５における電源電圧を生成して各部に供給する。
１チップマイクロコンピュータ２１は、ＣＰＵ２１１、ＲＡＭ２１２、ＲＯＭ２１３、およびＩ／Ｏポート２１４などを内蔵している。ＲＯＭ２１３は、例えば２０キロバイト程度の容量であり、そこには制御のためのプログラムおよびデータが記憶されている。ＣＰＵ２１１がそのプログラムを実行することによって、外部メモリ２２へのデータの書き込みおよび読み出し、キー入力部２３からの操作入力信号の取り込み、表示部２４への静止画像、動画像、または文字などの表示、音声出力部２５への音声データの出力、データ送受信部２６による給湯器本体３または検査装置７との通信、およびその他の処理が行われ、風呂リモコン５の全体の制御が行われる。
【００３１】
次に、外部メモリ２２に記憶される画像データＦＤとその更新方法について説明する。
図５は外部メモリ２２などに画像データＦＤなどが記憶される様子を示す図、図６は表示部２４への表示のための処理タイミングを説明する図である。なお、図５（Ａ）は外部メモリ２２の記憶状態、図５（Ｂ）は検査装置７に内蔵されたメモリ７１の記憶状態をそれぞれ示す。
【００３２】
外部メモリ２２には、例えば図５（Ａ）に示すように、０番地、３２０番地、６４０番地…といったように、アドレスの３２０番地毎に、画面１、画面２、画面３…の各画像データＦＤ１，２，３…が記憶される。
【００３３】
これらの画像データＦＤは、表示部２４に表示されるデータのうち、バージョンアップや給湯器本体３の変更などによって変更される可能性のあるもの、ユーザの好みによって変更されまたは選択されるものなどである。
【００３４】
また、１チップマイクロコンピュータ２１のＲＯＭ２１３に入りきらないものなどでもよい。したがって、画像データではなく、音声データ、その他のデータ、またはプログラムなどを外部メモリ２２に記憶させるようにしてもよい。その場合には、１チップマイクロコンピュータ２１のＲＯＭ２１３の容量を低減することができる。また、ＲＯＭ２１３の容量を気にすることなく、大容量の画像データＦＤを記憶することができる。例えば、１００画面といったような多数のスクリーンセーバの画面を外部メモリ２２に記憶しておき、ユーザが好みの画面を選択するようにすることが可能となる。また、風呂リモコン５の出荷または設置の後に、画像データＦＤの追加を容易に行うことができる。
【００３５】
本実施形態において、これらの画像データＦＤは、例えばビットマップ形式で記憶されている。画像データＦＤは、外部メモリ２２の表示面ＨＧの大きさと同じサイズのものもあり、それよりも小さいサイズのものもある。これらの画像データＦＤのうちから、アドレスが指定されることによって、その時々の表示に必要な画像データＦＤが読み出される。読み出された画像データは、そのまま、または表示位置の指定が行われて、表示部２４の表示面ＨＧに表示される。
【００３６】
図６に示されるように、表示のためのクロックＣＬＫが入力される毎に、外部メモリ２２からの画像データＦＤの読み出しが行われる。読み出された画像データＦＤに対して、拡大、縮小、反転、表示位置の指定など、必要な加工が加えられた後、表示面ＨＧに実際に表示される。表示内容は次の表示まで維持される。その結果、クロックＣＬＫの周期Ｔ１毎に、表示内容が更新される。クロックＣＬＫの周期Ｔ１は、例えば１００ｍｓｅｃである。
【００３７】
さて、外部メモリ２２に記憶された画像データＦＤの一部を変更したい場合には、次の手順で行うことができる。
図３を参照して、風呂リモコン５の接続端子ＴＣ１，２に接続されている電線ＷＲを、給湯器本体３および台所リモコン４とは非接続の状態とし、それに代えて、検査装置７の接続端子ＴＫ１，ＴＫ２に接続する。
【００３８】
検査装置７は、主として、風呂リモコン５などの故障診断または動作チェックのために用いられる。通常、工場においてリモコンの検査が行われる。リモコンがユーザ宅に設置された後は、メンテナンスの際にサービスマンによる検査が行われる。それらの検査に当たり、検査装置７またはこれと同様な装置が用いられる。
【００３９】
検査装置７は、給湯器本体３から出力する信号に類似した信号を出力し、それに対する風呂リモコン５の応答状態をチェックする。その応答状態によって、風呂リモコン５の動作状態が正常であるか否かを診断する。検査装置７には、書き換え可能な不揮発性のメモリ７１の他に、マイクロコンピュータ、データ送受信部、電源、および操作パネルなどが備えられる。
【００４０】
本実施形態の検査装置７では、そこに内蔵されたメモリ７１に、風呂リモコン５の外部メモリ２２に記憶すべき画像データＦＥが記憶されている。
検査装置７は、風呂リモコン５との通信によって、風呂リモコン５の機種、製造年月日、バージョンなどの情報を取得する。それらの情報によって、風呂リモコン５の外部メモリ２２に記憶されている画像データＦＤについて、更新の必要な部分が判断される。
【００４１】
例えば、外部メモリ２２に記憶された画像データＦＤのうち、画面２の画像データＦＤ２が旧バージョンであり、これを新バージョンの画面２ａに変更するには、画像データＦＤ２を検査装置７のメモリ７１に記憶された画像データＦＥ２によって書き換える。
【００４２】
書き換えの処理の際には、検査装置７において、メモリ７１から画像データＦＥ２が読み出され、変調されて接続端子ＴＫ１，ＴＫ２から出力される。送信された信号は、電線ＷＲ１を経由して風呂リモコン５のデータ送受信部２６で受信される。データ送受信部２６で復調され、１チップマイクロコンピュータ２１の制御によって外部メモリ２２の画面２の部分に書き込まれる。
【００４３】
これによって、風呂リモコン５は、次の使用から、旧バージョンの画面２に代えて新バージョンの画面２ａが表示部２４に表示される。
このように、風呂リモコン５のハードウエアには何らの変更をも加えることなく、表示部２４の表示内容を更新することができる。しかも、変更の必要な部分のみの画像データを検査装置７から転送するだけでよいから、その処理時間が短く、作業を短時間で終えることができ、作業における操作も容易である。
【００４４】
そして、検査装置７から画像データＦＥを受信するためのインタフェースとして、風呂リモコン５の遠隔操作のために元々備えられているデータ送受信部２６を兼用しているので、風呂リモコン５の構成が複雑となることがなく、簡素化することが可能である。
【００４５】
なお、検査装置７のメモリ７１に、種々の機種のリモコンに必要な画像データＦＥを記憶しておき、その中から転送すべき画像データＦＥを選択してもよい。転送すべき画像データを手動で選択するようにしてもよい。
【００４６】
本実施形態の検査装置７は本発明におけるデータ出力装置に相当する。データ出力装置として、検査装置７ではなく、画像データを送信することのできる専用の装置、または汎用のコンピュータ、例えばパーソナルコンピュータを用いることも可能である。また、通信のためのインタフェースとして、データ送受信部２６を兼用して用いるのではなく、他の通信インタフェース、例えば１チップマイクロコンピュータ２１のシリアル通信ポート（ＳＩＯポート）を用い、これに直接に接続するようにしてもよい。その場合には、接続のための適当なコネクタを設けておけばよい。
【００４７】
上の実施形態は風呂リモコン５についてのものであるが、台所リモコン４についても同様である。
次に、外部メモリ２２に記憶された画像データＦＤによる表示部２４への表示方法について説明する。なお、以下の説明では、リモコンが風呂リモコン５ではなく台所リモコン４である場合を想定している。
【００４８】
図７は外部メモリ２２に記憶される背景データＦＤｂ１〜３の例を示す図、図８は外部メモリ２２に記憶される時刻パーツデータＦＤｐ１〜４の例を示す図、図９は表示部２４に表示される画面ＨＧ１〜３の例を示す図である。
【００４９】
図７（Ａ）に示す背景データＦＤｂ１と図７（Ｂ）に示す背景データＦＤｂ２とは、表示内容は同じであるが配置が異なる。例えば、一方の背景データＦＤｂ１が旧バージョンであり、他方の背景データＦＤｂ２が新バージョンである。図７（Ｃ）に示す背景データＦＤｂ３は、表示内容がそれらと異なる。背景データＦＤｂ３は、台所に居て風呂の予約設定を行えるように新しく追加された機能に必要な画像データである。
【００５０】
図８（Ａ）（Ｂ）に示す時刻パーツデータＦＤｐ１，２は、０時台から９時台までの時刻表示に用いられ、図８（Ｃ）（Ｄ）に示す時刻パーツデータＦＤｐ３，４は、１０時台から１２時台までの時刻表示に用いられる。これらの時刻パーツデータＦＤｐ１〜４に、０時００分から９時５９分までの各時刻を表示する図示しない時刻パーツデータＦＤｐを組み合わせることによって、１日の全ての時刻が表示される。
【００５１】
これらの背景データＦＤｂ、時刻パーツデータＦＤｐ、図示しない数値データおよびイラストデータなどが組み合わされて、表示部２４の表示面ＨＧに種々の画面が表示される。時刻パーツデータＦＤｐまたは数値データが表示される際には、１チップマイクロコンピュータ２１によって、その表示位置が背景データＦＤｂの内容に応じて制御される。
【００５２】
例えば、図９（Ａ）に示される画面ＨＧ１は、背景データＦＤｂ１、時刻パーツデータＦＤｐ４、「０時００分」を示す時刻パーツデータＦＤｐ１１、および「４」「０」の各数値データＦＤｎ４，０が、所定の位置に組み合わされて構成されている。
【００５３】
これに対して図９（Ｂ）に示される画面ＨＧ２では、画面ＨＧ１とは異なる背景データＦＤｂ２が用いられ、同じ時刻パーツデータＦＤｐ４、１１、および数値データＦＤｎ４，０が、画面ＨＧ１とは異なる位置に配置されている。
【００５４】
図９（Ｃ）に示す画面ＨＧ３は、追加された背景データＦＤｂ３によって表示さたものである。画面ＨＧ３の右側に設けられているキーを操作することにより、風呂の予約設定のための次の画面が表示される。
【００５５】
このように、本実施形態によると、背景データＦＤｂ部を更新しまたは追加することによって、同じ内容を異なる配置またはデザインで表示し、または新しい内容または機能を容易に追加することができる。また、背景データＦＤｂにイラストや動画などを取り入れることによって、同じ風呂リモコン５であってもユーザに斬新な印象を与えることができる。
【００５６】
また、種々の画像データが組み合わされることによって１つの画面が作成され、それが表示部２４の表示面ＨＧに表示されるので、表示に必要な画像データの総データ量が低減される。
【００５７】
上に述べた実施形態において、外部メモリ２２に画像データＦＤをビットマップデータとして記憶したが、圧縮データ、コードデータ、その他のデータとして記憶してもよい。その他、画像データとして種々の形式または方式のデータを用いることができる。操作入力部として、有接点または無接点のスイッチ、またはタッチセンサーなどの種々の入力手段を用いることができる。リモコンから２本の電線ＷＲを介して給湯器本体３を遠隔操作した例を説明したが、１本または３本以上の電線を用い、または無線で遠隔操作を行うようにしてもよい。
【００５８】
その他、風呂リモコン５、給湯器本体３、または給湯装置１の全体または各部の構造、形状、個数、材質、回路、処理内容、処理順序、処理タイミング、画面の内容などは、本発明の趣旨に沿って適宜変更することができる。
【００５９】
本発明は、給湯装置以外の種々のリモコン装置に適用することができる。
【００６０】
【発明の効果】
本発明によると、画像データの増大に容易に対応することができ、しかも表示部の表示内容の変更を容易に行うことができる。
【００６１】
請求項２の発明によると、リモコン装置の構成を簡素化することが可能である。請求項３および請求項４の発明によると、表示に必要な画像データの総データ量が低減される。
【図面の簡単な説明】
【図１】給湯装置の制御系の構成を示すブロック図である。
【図２】給湯器本体の制御系の構成を示すブロック図である。
【図３】本発明に係る風呂リモコンの制御系の構成を示すブロック図である。
【図４】風呂リモコンの外観の例を示す正面図である。
【図５】外部メモリなどに画像データなどが記憶される様子を示す図である。
【図６】表示部への表示のための処理タイミングを説明する図である。
【図７】外部メモリに記憶される背景データの例を示す図である。
【図８】外部メモリに記憶される時刻パーツデータの例を示す図である。
【図９】表示部に表示される画面の例を示す図である。
【符号の説明】
１  給湯装置
３  給湯器本体（装置本体）
４  台所リモコン（リモコン装置）
５  風呂リモコン（リモコン装置）
７  検査装置（データ出力装置）
２１  １チップマイクロコンピュータ
２２  外部メモリ（メモリ素子）
２３  操作入力部
２４  表示部
２６  データ送受信部（インタフェース）
ＦＤ  画像データ
ＦＤｂ  背景データ（背景画像データ）
ＦＤｎ  数値データ（数値画像データ）
0
【図１】
0004325058.tif 000002
【図２】
0004325058.tif 000003
【図３】
0004325058.tif 000004
【図４】
0004325058.tif 000005
【図５】
0004325058.tif 000006
【図６】
0004325058.tif 000007
【図７】
0004325058.tif 000008
【図８】
0004325058.tif 000009
【図９】
0004325058.tif 000010